【手続補正書】
【提出日】平成29年11月22日(2017.11.22)
【手続補正１】
【補正対象書類名】特許請求の範囲
【補正対象項目名】全文
【補正方法】変更
【補正の内容】
【特許請求の範囲】
【請求項１】
焦点検出結果の調整に用いる調整値を取得するための調整モードを有する撮像装置であって、
被写体像を光電変換して画像の撮影を行う撮影処理手段と、
少なくとも一つの焦点検出領域に対して異なる方向に配置された複数の光電変換素子と、前記光電変換素子から出力される像信号に基づいて焦点状態を検出する焦点検出手段と、
前記複数の光電変換素子の中からいずれかを選択する選択手段と、
フォーカスレンズの位置を制御する制御手段と、
前記焦点検出手段による検出結果の調整に用いる前記調整値を算出する算出手段とを有し、
前記調整モードにおいて、前記制御手段は、異なる複数のレンズ位置に前記フォーカスレンズを移動するよう制御し、前記複数のレンズ位置それぞれにおいて、前記撮影処理手段による画像の撮影と前記焦点検出手段による焦点状態の検出を行い、前記算出手段は、撮影された複数の画像の中から選択された画像に対応する前記焦点状態に基づいて前記調整値を算出し、
前記選択手段は、前記焦点検出領域に対して異なる方向に配置された前記複数の光電変換素子からそれぞれ出力される像信号に基づいて、第１の光電変換素子を選択し、
前記算出手段は、前記第１の光電変換素子で検出された、前記選択された画像に対応する前記焦点状態に基づいて、前記調整値を算出することを特徴とする撮像装置。
【請求項２】
前記焦点検出手段は、前記第１の光電変換素子を用いて、前記複数のレンズ位置における焦点状態の検出を行うことを特徴とする請求項１に記載の撮像装置。
【請求項３】
前記選択手段は、前記複数のレンズ位置において焦点状態を検出する前に、前記第１の光電変換素子を選択することを特徴とする請求項１または２に記載の撮像装置。
【請求項４】
前記選択手段は、前記複数の光電変換素子のうち、出力された像信号のコントラストを示す指標がより高い光電変換素子を前記第１の光電変換素子に選択することを特徴とする請求項１乃至３のいずれか１項に記載の撮像装置。
【請求項５】
前記選択手段は、前記複数のレンズ位置において焦点状態を検出する前に、合焦状態と判定されたレンズ位置において前記複数の光電変換素子からそれぞれ出力される像信号に基づいて、前記第１の光電変換素子を選択することを特徴とする請求項１乃至４のいずれか１項に記載の撮像装置。
【請求項６】
前記複数のレンズ位置において焦点状態を検出する前に、前記制御手段は、前記合焦状態を判定するまで、前記複数の光電変換素子からそれぞれ出力される像信号のうち、コントラストを示す指標がより高い像信号を用いて検出された焦点状態に基づいて、前記フォーカスレンズの位置を制御することを特徴とする請求項５に記載の撮像装置。
【請求項７】
前記複数のレンズ位置は、前記合焦状態と判定されたレンズ位置と、当該レンズ位置より至近側および無限側のレンズ位置を含むことを特徴とする請求項５または６に記載の撮像装置。
【請求項８】
前記焦点検出手段は、前記選択手段により選択された前記第１の光電変換素子のみを用いて前記複数のレンズ位置における焦点状態の検出を行うことを特徴とする請求項１乃至７のいずれか１項に記載の撮像装置。
【請求項９】
前記複数のレンズ位置それぞれにおいて、前記焦点検出手段は、前記選択手段により選択された前記第１の光電変換素子を用いて複数回焦点状態を検出し、
前記算出手段は、複数回の検出結果の平均値に基づいて前記調整値を算出することを特徴とする請求項１乃至８のいずれか１項に記載の撮像装置。
【請求項１０】
前記調整モードにおいて、所定の条件を満たす場合に、前記調整値の取得ができない旨を報知する報知手段を有することを特徴とする請求項１乃至９のいずれか１項に記載の撮像装置。
【請求項１１】
前記複数のレンズ位置において焦点状態を検出する前に、前記焦点検出手段は、前記選択手段により選択された前記第１の光電変換素子を用いて、焦点状態の検出を所定回数行い、
前記所定の条件は、前記所定回数の検出結果のばらつきが所定の基準より大きいことであることを特徴とする請求項１０に記載の撮像装置。
【請求項１２】
前記所定の条件は、撮影された複数の画像の中から選択された画像に対応する焦点状態と、当該焦点状態が検出された前記レンズ位置に応じて決まる理想的な焦点状態との差が閾値以上であることを特徴とする請求項１０または１１に記載の撮像装置。
【請求項１３】
使用者により任意の前記調整値が設定されるモードと、前記調整モードとを選択可能であることを特徴とする請求項１乃至１２のいずれか１項に記載の撮像装置。
【請求項１４】
前記調整値は、記録用の画像の撮影時において、前記焦点検出手段による検出結果の調整に用いられることを特徴とする請求項１乃至１３のいずれか１項に記載の撮像装置。
【請求項１５】
前記焦点状態はデフォーカス量であることを特徴とする請求項１乃至１４のいずれか１項に記載の撮像装置。
【請求項１６】
焦点検出結果の調整に用いる調整値を取得するための調整モードを有し、少なくとも一つの焦点検出領域に対して異なる方向に配置された複数の光電変換素子を備える撮像装置の制御方法であって、
被写体像を光電変換して画像の撮影を行う撮影処理ステップと、
前記光電変換素子から出力される像信号に基づいて焦点状態を検出する焦点検出ステップと、
前記複数の光電変換素子の中からいずれかを選択する選択ステップと、
フォーカスレンズの位置を制御する制御ステップと、
前記焦点検出ステップにおける検出結果の調整に用いる前記調整値を算出する算出ステップとを有し、
前記調整モードにおいて、前記制御ステップでは異なる複数のレンズ位置に前記フォーカスレンズを移動するよう制御し、前記複数のレンズ位置それぞれにおいて、前記撮影処理ステップでの画像の撮影と前記焦点検出ステップでの焦点状態の検出を行い、前記算出ステップでは、撮影された複数の画像の中から選択された画像に対応する前記焦点状態に基づいて前記調整値を算出し、
前記選択ステップでは、前記焦点検出領域に対して異なる方向に配置された前記複数の光電変換素子からそれぞれ出力される像信号に基づいて、第１の光電変換素子を選択し、前記算出ステップにおいて、前記第１の光電変換素子で検出された、前記選択された画像に対応する前記焦点状態に基づいて、前記調整値を算出することを特徴とする撮像装置の制御方法。
【手続補正２】
【補正対象書類名】明細書
【補正対象項目名】００１０
【補正方法】変更
【補正の内容】
【００１０】
上記目的を達成するために、第１の本発明は、焦点検出結果の調整に用いる調整値を取得するための調整モードを有する撮像装置であって、被写体像を光電変換して画像の撮影を行う撮影処理手段と、少なくとも一つの焦点検出領域に対して異なる方向に配置された複数の光電変換素子と、前記光電変換素子から出力される像信号に基づいて焦点状態を検出する焦点検出手段と、前記複数の光電変換素子の中からいずれかを選択する選択手段と、フォーカスレンズの位置を制御する制御手段と、前記焦点検出手段による検出結果の調整に用いる前記調整値を算出する算出手段とを有し、前記調整モードにおいて、前記制御手段は、異なる複数のレンズ位置に前記フォーカスレンズを移動するよう制御し、前記複数のレンズ位置それぞれにおいて、前記撮影処理手段による画像の撮影と前記焦点検出手段による焦点状態の検出を行い、前記算出手段は、撮影された複数の画像の中から選択された画像に対応する前記焦点状態に基づいて前記調整値を算出し、  前記選択手段は、前記焦点検出領域に対して異なる方向に配置された前記複数の光電変換素子からそれぞれ出力される像信号に基づいて、第１の光電変換素子を選択し、前記算出手段は、前記第１の光電変換素子で検出された、前記選択された画像に対応する前記焦点状態に基づいて、前記調整値を算出することを特徴とする。
【手続補正３】
【補正対象書類名】明細書
【補正対象項目名】００１１
【補正方法】削除
【補正の内容】